(57)【要約】  【課題】  データを非ランダムに記録する第１記録媒体に記録してある複数のデータを、各データをファイル単位でランダムに記録する第２記録媒体へ転送してダビングする場合に、前記複数のデータをそれぞれ別のファイルに記録させることが可能な複合記録装置を提供する。  【解決手段】  ＶＴＲ信号処理回路６が、磁気テープ６ａに記録してある映像信号及び音声信号を読み出してＤＶＤ信号処理回路５へ転送してＤＶＤ５ａにダビングする場合に、磁気テープ６ａから読み出される信号中にＶＩＳＳ信号があるか否かを検出する。ＶＴＲ信号処理回路６がＶＩＳＳ信号を検出した場合、ＤＶＤメインマイコン１は、ＤＶＤ信号処理回路５により、前記ＶＩＳＳ信号を検出するまでにＤＶＤ５ａに記録されたデータと、前記ＶＩＳＳ信号の検出後にＤＶＤ５ａに記録させるデータとを別のファイルに分割させ、各ファイルを管理する管理情報を作成する。【選択図】        図１
2005285282.tif 000002
【特許請求の範囲】
【請求項１】
データを非ランダムに記録することが可能な第１記録媒体に、データの記録開始の都度、開始信号を付して前記データを記録する処理を行なう第１記録処理手段と、データをファイル単位でランダムに記録することが可能な第２記録媒体にデータを記録する処理を行なう第２記録処理手段とを備える複合記録装置において、
前記第１記録媒体に記録してあるデータを前記第２記録媒体に記録すべく転送する転送手段と、
該転送手段がデータを転送する場合に、前記第１記録媒体に記録してある開始信号を検出する検出手段と
を備え、
前記第２記録処理手段は、
前記検出手段が開始信号を検出した場合に、前記開始信号を検出した後に前記転送手段によって転送されてくるデータを、前記開始信号を検出する前に前記転送手段によって転送されてきたデータとは別のファイルに記録する処理を行なうべくなしてあることを特徴とする複合記録装置。
【請求項２】
前記第２記録媒体に記録するデータに係る管理情報を作成する作成手段を備え、
該作成手段は、前記検出手段が開始信号を検出した場合に、前記開始信号を検出した後に前記転送手段によって転送されてくるデータに係る管理情報を作成すべくなしてあることを特徴とする請求項１に記載の複合記録装置。
【請求項３】
前記転送手段によって転送されてくるデータに圧縮処理を行なって前記第２記録処理手段へ出力する圧縮手段と、
前記第２記録媒体に記録される圧縮されたデータの記録時間を計測する計時手段とを備え、
該計時手段は、前記検出手段が開始信号を検出した場合、記録時間をリセットした後に記録時間の計測を再開すべくなしてあり、
前記作成手段は、前記計時手段が記録時間をリセットした場合に、前記計時手段が計測する記録時間を含み、前記開始信号を検出した後に前記第２記録媒体に記録されるデータに係る管理情報を作成すべくなしてあることを特徴とする請求項２に記載の複合記録装置。
【発明の詳細な説明】
【技術分野】
【０００１】
本発明は、データを非ランダムに記録することが可能な第１記録媒体に記録してあるデータを、データをファイル単位でランダムに記録することが可能な第２記録媒体に記録させることが可能な複合記録装置に関するものである。
【背景技術】
【０００２】
テレビジョン放送による放送番組を受信して記録媒体に記録し、必要に応じて再生する記録再生装置として、記録媒体に磁気テープを用いるビデオテープレコーダ（ＶＴＲ）が普及している。また、近年では、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクプレーヤが提供されている。
【０００３】
また、長時間の放送番組又は複数の放送番組の記録を可能にするために、複数の記録媒体を一体型に搭載した記録再生装置が提供されている。このような記録再生装置においては、ユーザがそれぞれの記録処理に対して記録媒体を指定することができ、それぞれの放送番組の放送時間及び希望の録画状態等に基づいて所望の記録媒体への記録処理を実行させることができる。更に、このような記録再生装置では、上述のようにユーザによる設定に基づいて対応する記録媒体に記録された放送番組を、後日に別の記録媒体にダビングすることもできる（例えば、特許文献１参照）。
【特許文献１】特開２００１−２１６６９４号公報
【発明の開示】
【発明が解決しようとする課題】
【０００４】
ここで、ＶＴＲは、順次入力される記録対象の放送番組を記録開始の都度、ＶＩＳＳ信号を付加して磁気テープに記録し、ＨＤＤ及びＤＶＤは、１回の記録処理、即ち記録処理の開始指示から終了指示までの放送番組をそれぞれファイル単位でランダムにディスクに記録する。従って、磁気テープからディスクへ放送番組をダビングする場合、複数の放送番組が連続して記録してある磁気テープから読み出される放送番組を順次ディスクへ転送し、転送される一連の放送番組は、複数の放送番組にわたる場合であっても、１つのファイルとしてディスクに記録される。この場合、複数の放送番組を１つのファイルとしてディスクに記録されるため、各放送番組の切れ目が分からず、１つのファイルの中途に記録された放送番組を効率よく再生させることができないという問題がある。
【０００５】
上述した問題は、磁気テープから転送される放送番組をユーザが監視し、連続して記録されている放送番組の切れ目において、一旦記録処理を停止させることにより解消することができるが、ユーザが逐次放送番組の切れ目を確認しなければならず効率が悪い。また、ディスクに一旦記録させた１つのファイルを複数のファイルに分割して再記録させることもできるが、ディスクに記録させる各ファイルを管理するためのファイルシステム及び各ファイルに記録される放送番組の記録時間等を再度書き直す必要があり、実現するための回路及びこの回路を制御するソフトウェアの開発に多大な時間を要する等の理由から実現することは非常に困難であるという問題がある。
【０００６】
本発明は斯かる事情に鑑みてなされたものであり、データのそれぞれの記録開始位置に開始信号を付して非ランダムに記録する第１記録媒体（磁気テープ）に記録してある複数のデータを、各データをファイル単位でランダムに記録する第２記録媒体（ＤＶＤまたはＨＤＤ）へ転送してダビングする場合に、前記複数のデータをそれぞれ別のファイルとして第２記録媒体に記録させることが可能な複合記録装置を提供することを本発明の目的とする。
【課題を解決するための手段】
【０００７】
本発明に係る複合記録装置は、データを非ランダムに記録することが可能な第１記録媒体に、データの記録開始の都度、開始信号を付して前記データを記録する処理を行なう第１記録処理手段と、データをファイル単位でランダムに記録することが可能な第２記録媒体にデータを記録する処理を行なう第２記録処理手段とを備える複合記録装置において、
前記第１記録媒体に記録してあるデータを前記第２記録媒体に記録すべく転送する転送手段と、該転送手段がデータを転送する場合に、前記第１記録媒体に記録してある開始信号を検出する検出手段とを備え、前記第２記録処理手段は、前記検出手段が開始信号を検出した場合に、前記開始信号を検出した後に前記転送手段によって転送されてくるデータを、前記開始信号を検出する前に前記転送手段によって転送されてきたデータとは別のファイルに記録する処理を行なうべくなしてあることを特徴とする。
【０００８】
本発明による場合は、データを非ランダムに記録することが可能な第１記録媒体に、データの記録開始の都度、開始信号を付して前記データを記録する処理を行なう第１記録処理手段と、データをファイル単位でランダムに記録することが可能な第２記録媒体にデータを記録する処理を行なう第２記録処理手段とを備える複合記録装置が、前記第１記録媒体に記録してあるデータを前記第２記録媒体に転送してダビングする際に、前記第１記録媒体に記録してある開始信号を検出した場合、該開始信号を検出した後に転送されてくるデータを、前記開始信号を検出する前に転送されてきたデータとは別のファイルで前記第２記録媒体に記録する。よって、それぞれ開始信号が付された複数のデータが第１記録媒体から連続して転送される場合であっても、それぞれのデータ間の開始信号の前後において、それぞれのデータを別ファイルとして第２記録媒体にダビングすることが可能となる。
【０００９】
本発明に係る複合記録装置は、前記第２記録媒体に記録するデータに係る管理情報を作成する作成手段を備え、該作成手段は、前記検出手段が開始信号を検出した場合に、前記開始信号を検出した後に前記転送手段によって転送されてくるデータに係る管理情報を作成すべくなしてあることを特徴とする。
【００１０】
本発明による場合は、前記第１記録媒体に記録してある開始信号が検出された場合に、前記第２記録媒体に記録するデータに係る管理情報を作成する作成手段が、前記開始信号を検出した後に転送されて第２記録媒体に記録されるデータに係る管理情報を作成する。よって、前記開始信号を検出する前に転送されて第２記録媒体に記録されたデータと、前記開始信号を検出した後に転送されて第２記録媒体に記録されるデータとを別のファイルで記録媒体に記録させるために必要な管理情報を効率よく作成することが可能となる。
【００１１】
本発明に係る複合記録装置は、前記転送手段によって転送されてくるデータに圧縮処理を行なって前記第２記録処理手段へ出力する圧縮手段と、前記第２記録媒体に記録される圧縮されたデータの記録時間を計測する計時手段とを備え、該計時手段は、前記検出手段が開始信号を検出した場合、記録時間をリセットした後に記録時間の計測を再開すべくなしてあり、前記作成手段は、前記計時手段が記録時間をリセットした場合に、前記計時手段が計測する記録時間を含み、前記開始信号を検出した後に前記第２記録媒体に記録されるデータに係る管理情報を作成すべくなしてあることを特徴とする。
【００１２】
本発明による場合は、前記第１記録媒体から転送されてくるデータに圧縮処理を行なって前記第２記録媒体に記録することにより、前記第２記録媒体に記録させるデータのデータ量を削減することが可能となる。また、前記第２記録媒体に記録されるデータの記録時間を含む管理情報により各データを管理する場合、前記第１記録媒体に記録してある開始信号が検出されたときに、前記開始信号を検出した後に前記磁気テープから転送されて第２記録媒体に記録するデータの記録時間の計測を開始すると共に、前記記録時間を含み、前記開始信号を検出した後に前記第２記録媒体に記録されるデータに係る管理情報を作成する。よって、前記開始信号の前後におけるデータを別のファイルで第２記録媒体に記録させるために必要な管理情報を効率よく作成することが可能となる。
【発明の効果】
【００１３】
本発明によれば、データを非ランダムに記録することが可能な第１記録媒体に、データの記録開始の都度、開始信号を付して前記データを記録する処理を行なう第１記録処理手段と、データをファイル単位でランダムに記録することが可能な第２記録媒体にデータを記録する処理を行なう第２記録処理手段とを備える複合記録装置において、前記第１記録媒体に記録してあるデータを前記第２記録媒体に転送してダビングする際に、前記第１記録媒体に記録してある開始信号に基づいて、該開始信号の前後におけるデータをそれぞれ別のファイルとして前記第２記録媒体に記録することにより、それぞれ開始信号が付された複数のデータが第１記録媒体から連続して転送される場合であっても、ユーザの操作を介することなく、それぞれのデータを別ファイルで第２記録媒体にダビングすることができる。
【００１４】
本発明によれば、前記第１記録媒体に記録してある開始信号が検出された場合に、前記開始信号を検出した後に転送されて第２記録媒体に記録するデータに係る管理情報を作成することにより、前記開始信号を検出する前に転送されて記録されたデータと、前記開始信号を検出した後に転送されて記録されるデータとを別のファイルで第２記録媒体に記録させるために必要な管理情報をユーザの操作を介することなく効率よく作成することができる。また、前記第２記録媒体に、例えば磁気ディスク又は光ディスクを利用し、記録させるデータを管理する管理情報に各データの記録時間が含まれる場合には、前記第１記録媒体に記録してある開始信号が検出された場合に、各データの記録時間の計測を効率よく開始させ、各データの管理情報を作成することができる。
【発明を実施するための最良の形態】
【００１５】
以下に、本発明に係る複合記録装置をその実施の形態を示す図面に基づいて詳述する。図１は本発明に係る複合記録装置の構成例を示す模式図である。図中１０は本発明の複合記録装置を示しており、複合記録装置１０は、ＤＶＤ−ＲＷ又はＤＶＤ−Ｒ等の書き込みが可能なＤＶＤ（第２記録媒体）５ａ及び磁気テープ（第１記録媒体）６ａの２つの記録媒体へのデータの記録が可能である。なお、ＤＶＤ５ａ及び磁気テープ６ａには、図示しないチューナによって受信するテレビジョン放送信号に基づく放送番組（映像信号及び音声信号）、図示しない入力部から入力される映像信号及び音声信号等を記録させることが可能である。
【００１６】
複合記録装置１０は、図１に示すように、ＤＶＤメインマイコン１、ＤＶＤフロントマイコン２、ＶＴＲマイコン３、コントロールヘッド４、ＤＶＤ５ａに対してデータの書込み処理及び読出し処理を行なうＤＶＤ信号処理回路５、磁気テープ６ａに対してデータの書込み処理及び読出し処理を行なうＶＴＲ信号処理回路６等を備えている。
【００１７】
ＤＶＤメインマイコン１、ＤＶＤフロントマイコン２及びＶＴＲマイコン３は、それぞれ演算を行うＣＰＵ及び演算に伴う一時的な情報を記憶するＲＡＭ等により構成されている。また、ＤＶＤメインマイコン１は、ＤＶＤ５ａ及びＤＶＤ信号処理回路５に係る制御処理を実行する。ＤＶＤフロントマイコン２は、複合記録装置１０における電源装置（図示せず）からの電力のオン・オフ制御処理、及び、チューナまたは入力部からの放送番組等の入力制御処理を実行する。ＶＴＲマイコン３は、磁気テープ６ａ及びＶＴＲ信号処理回路６に係る制御処理を実行する。
【００１８】
ＤＶＤメインマイコン１はＤＶＤフロントマイコン２へ、ＤＶＤフロントマイコン２はＶＴＲマイコン３へそれぞれ、チップセレクト信号（ＣＳ信号）及びクロック信号（ＣＬＫ信号）を入力しており、ＤＶＤメインマイコン１及びＤＶＤフロントマイコン２、ＤＶＤフロントマイコン２及びＶＴＲマイコン３はそれぞれ、ＣＳ信号及びＣＬＫ信号に基づくシリアル通信によってデータ（Ｄａｔａ）の送受信を行なっている。
【００１９】
また、ＶＴＲマイコン３とＤＶＤメインマイコン１とは、ＤＶＤフロントマイコン２を介して一定の時間間隔でデータの送受信を行なっている。具体的には、例えば、ＤＶＤメインマイコン１が８０msec周期でＤＶＤフロントマイコン２に対してＣＳ信号を出力しており、この１周期の８０msec間の前半の４０msec間でＤＶＤメインマイコン１とＤＶＤフロントマイコン２とがデータ通信を行ない、後半の４０msec間でＤＶＤフロントマイコン２がＶＴＲマイコン３に対してＣＳ信号を出力してＤＶＤフロントマイコン２とＶＴＲマイコン３とがデータ通信を行なっている。
【００２０】
ＤＶＤ信号処理回路（第２記録処理手段）５は、チューナ又は外部からデータを入力する入力部からのデータのＤＶＤ５ａへの書込み処理、及びＤＶＤ５ａからのデータの読出し処理を行なっており、ＤＶＤ５ａは各データをファイル単位でランダムに記録する。また、ＤＶＤ信号処理回路５は、例えばＭＰＥＧ（Moving Picture Expert Group）方式に基づく圧縮処理及び伸張処理を行なうコーデック（圧縮手段）を内蔵しており、チューナ又は外部からのデータに圧縮処理を実行し、生成された圧縮データをＤＶＤ５ａに記録させる。また、ＤＶＤ信号処理回路５は、ＤＶＤ５ａから読み出した圧縮データに伸張処理を実行する。
【００２１】
なお、ＤＶＤ信号処理回路５は、ＤＶＤ５ａに対して圧縮データの書込み処理を行なう際に、順次記録されるデータの記録時間を計測するタイムスタンプ（計時手段）を有しており、また、タイムスタンプが示す記録時間を含み、ＤＶＤ５ａに各ファイルと共に記録させる、各ファイルを管理するための管理情報（ファイルシステム）を作成する作成手段として動作する。
【００２２】
ＶＴＲ信号処理回路（第１記録処理手段）６は、磁気テープ６ａに対してデータの書込み処理及び読出し処理を行なっており、各データを磁気テープ６ａの書込み位置から連続して非ランダムに記録していく。また、ＶＴＲ信号処理回路６は、磁気テープ６ａの読出し位置から連続して記録してあるデータを読み出す。ここで、ＶＴＲマイコン３は、一般的に、ＶＴＲ信号処理回路６によってチューナ又は入力部からのデータを磁気テープ６ａに記録させる場合に、磁気テープ６ａの記録開始位置（頭出し位置）の下端に、コントロールヘッド４によってＶＩＳＳ信号（開始信号）を記録する。これにより、磁気テープ６ａに記録した放送番組を再生する場合に効率よく各放送番組の先頭位置を検出することができる。
【００２３】
本実施の形態の複合記録装置１０は、予め磁気テープ６ａに記録してあるデータ（映像信号及び音声信号）を読み出してＤＶＤ５ａにダビングすることができ、ＶＴＲ信号処理回路６は、磁気テープ６ａから読み出した映像信号及び音声信号をＤＶＤ信号処理回路５へ転送する転送手段として動作する。このとき、ＶＴＲ信号処理回路６は、磁気テープ６ａから読み出される信号中にＶＩＳＳ信号があるか否かを検出する検出手段として動作しており、ＶＩＳＳ信号を検出した場合、その旨をＶＴＲマイコン３へ通知する。
【００２４】
ＶＴＲマイコン３は、ＶＴＲ信号処理回路６からＶＩＳＳ信号を検出した旨を通知された場合、ＤＶＤフロントマイコン２を介してＤＶＤメインマイコン１にその旨を更に通知する。ＤＶＤメインマイコン１は、この通知に基づいて、磁気テープ６ａから連続して読み出される複数の放送番組間における変化点を検知することができる。ＤＶＤメインマイコン１は、ＶＴＲマイコン３からＶＩＳＳ信号を検出した旨の通知を取得した場合、ＤＶＤ信号処理回路５に対してタイトル（ファイル）分割処理を実行させ、この通知を取得するまでにＤＶＤ５ａに記録していたデータと、この通知の後にＤＶＤ５ａに記録させるデータとを別のファイルに記録する。
【００２５】
具体的には、ＤＶＤ信号処理回路５は、ＤＶＤメインマイコン１が前記通知を取得した時点でタイムスタンプが示す記録時間を、ＤＶＤメインマイコン１が前記通知を取得するまでにＤＶＤ５ａに記録したデータの記録時間として前記データのファイルに係る管理情報を更新する。また、ＤＶＤ信号処理回路５は、前記通知の後にＤＶＤ５ａに記録させるデータの記録時間を計測するためにタイムスタンプの計測時間をリセットすると共に、前記通知の後にＤＶＤ５ａに記録させるデータの管理情報を新規に作成する。
【００２６】
上述したように、磁気テープ６ａから読み出されるデータ中にＶＩＳＳ信号を検出した場合に、このＶＩＳＳ信号の前後におけるデータをそれぞれ別のファイルとしてＤＶＤ５ａに記録することによって、磁気テープ６ａに連続して記録されている複数の放送番組（データ）を一括してＤＶＤ５ａにダビングする場合であっても、それぞれの放送番組をそれぞれ別のファイルとしてＤＶＤ５ａに記録させることが可能となる。従って、磁気テープ６ａからＤＶＤ５ａへダビングする際に、ユーザが、磁気テープ６ａに記録してある放送番組を例えばテレビジョン装置等で再生させながら、それぞれの放送番組の終了毎にダビング処理を一旦停止させ、再度ダビング処理を開始させる等する必要がなく、効率よく複数の放送番組をそれぞれ別のファイル（コンテンツ、タイトル）としてＤＶＤ５ａに記録させることができる。
【００２７】
以下に、上述した構成の複合記録装置１０において、磁気テープ６ａに記録してある放送番組（データ）をＤＶＤ５ａにダビングする処理について説明する。図２は本発明の複合記録装置１０による磁気テープ６ａからＤＶＤ５ａへのダビング処理の手順を示すフローチャートである。複合記録装置１０において、ユーザが操作部（図示しない）を操作することにより、磁気テープ６ａからＤＶＤ５ａへのダビング処理の実行が指示された場合、ＤＶＤ信号処理回路５は、タイムスタンプが計測する記録時間をリセットすると共に、ＶＴＲ信号処理回路６から転送されてくるデータをＤＶＤ５ａに記録するためのファイルの管理情報を作成する（Ｓ１）。
【００２８】
次に複合記録装置１０は、ＶＴＲ信号処理回路６によって磁気テープ６ａから対応するデータ（映像信号及び音声信号）を読み出してＤＶＤ信号処理回路５へ転送する（Ｓ２）。ＤＶＤ信号処理回路５は、ステップＳ１で作成した管理情報が示すファイルに、ＶＴＲ信号処理回路６から順次転送されてくるデータを記録する（Ｓ３）。ＶＴＲマイコン３は、ＶＴＲ信号処理回路６からの終了信号の有無に基づいて、ＶＴＲ信号処理回路６からＤＶＤ信号処理回路５へのデータの転送が終了したか否かを判断しており（Ｓ４）、データの転送が終了していないと判断した場合（Ｓ４：ＮＯ）、ＶＴＲ信号処理回路６からの通知に基づいて、磁気テープ６ａからＶＩＳＳ信号を検出したか否かを判断する（Ｓ６）。
【００２９】
ＶＴＲマイコン３は、ＶＴＲ信号処理回路６からの通知に基づいて、ＶＩＳＳ信号を検出していないと判断した場合（Ｓ６：ＮＯ）、ステップＳ２の処理に戻り、データの転送が終了するか又はＶＩＳＳ信号が検出されるまで、磁気テープ６ａに記録してあるデータのＤＶＤ５ａへのダビング処理を続行する。
【００３０】
ＶＴＲマイコン３は、磁気テープ６ａからＶＩＳＳ信号を検出したと判断した場合（Ｓ６：ＹＥＳ）、この時点までにＤＶＤ５ａに記録されたデータのファイルの管理情報を、この時点でタイムスタンプが示す記録時間に更新し（Ｓ７）、ステップＳ１の処理に戻り、タイムスタンプが計測する記録時間をリセットすると共に、次にＤＶＤ５ａに記録すべく、ＶＴＲ信号処理回路６から転送されてくるデータの管理情報を新規に作成する（Ｓ１）。
【００３１】
また、同様に、ＶＴＲ信号処理回路６からＤＶＤ信号処理回路５へのデータの転送が終了するまで、またはＶＩＳＳ信号が検出されるまで順次ＶＴＲ信号処理回路６から転送されてくるデータ（Ｓ２）を、新規に作成した管理情報が示すファイルでＤＶＤ５ａに記録する（Ｓ３）。一方、ＶＴＲマイコン３は、ＶＴＲ信号処理回路６からの終了信号の有無に基づいて、ＶＴＲ信号処理回路６からＤＶＤ信号処理回路５へのデータの転送が終了したと判断した場合（Ｓ４：ＹＥＳ）、この時点までにＤＶＤ５ａに記録されたデータのファイルの管理情報を、この時点でタイムスタンプが示す記録時間に更新して（Ｓ５）ダビング処理を終了する。
【００３２】
上述したように、本発明の複合記録装置１０では、磁気テープ６ａに連続して記録してある複数の放送番組を一括してＤＶＤ５ａにダビングする際に、磁気テープ６ａから読み出す放送番組中にＶＩＳＳ信号を検出した場合に、このＶＩＳＳ信号の前後におけるデータをＤＶＤ５ａにおける別のファイルに記録させることができるため、ＤＶＤ５ａにダビングした放送番組を各別に再生させることができる。
【００３３】
上述した例では、複合記録装置１０が、磁気テープ６ａに記録してある放送番組をＤＶＤ５ａへ転送してダビングする際の処理について説明したが、磁気テープ６ａに記録してある放送番組をＨＤＤへ転送してダビングする際にも同様の処理によって同様の効果が得られる。
【図面の簡単な説明】
【００３４】
【図１】本発明に係る複合記録装置の構成例を示す模式図である。
【図２】本発明の複合記録装置による磁気テープからＤＶＤへのダビング処理の手順を示すフローチャートである。
【符号の説明】
【００３５】
１０  複合記録装置
１  ＤＶＤメインマイコン
２  ＤＶＤフロントマイコン
３  ＶＴＲマイコン
４  コントロールヘッド
５  ＤＶＤ信号処理回路（第１記録処理手段、圧縮手段、計時手段、作成手段）
５ａ  ＤＶＤ（第２記録媒体）
６  ＶＴＲ信号処理回路（第２記録処理手段、転送手段、検出手段）
６ａ  磁気テープ（第１記録媒体）
【図１】
2005285282.tif 000003
【図２】
2005285282.tif 000004